(57)【要約】【課題】簡便の構造からなり、ねじ締めねじ取り外しがラチェット作用を伴って容易にでき、狭隘の場所におけるねじ廻り作用ができ、強力のねじ廻し及び高速のねじ廻しのできるラチェットドライバを提供する。【解決手段】中心部にビッド挿着部１０を設けるねじ廻し本体２には左右いずれの方向からもビッド５を挿着することができる。ねじ廻し本体５には一方向のみのワンウエイクラッチが設けられているのみであるが、ビッド５の入れ替えによりねじ締め、取り外しがラチェット動作を伴って容易にできる。また、ロッド体３や円盤体４を用いることにより狭隘場所においても強力のねじ廻しができ、高速のねじ廻し動作が可能となる。【選択図】図１
0003113759.tif 000002
【実用新案登録請求の範囲】
【請求項１】
ラチェットドライバであって、該ドライバは、ビッドと左右いずれの方向から磁着可能なビッド挿着部を有すると共にこのビッド挿着部を一方向にのみ回転可能なワンウエイクラッチ部を内蔵する円形状のねじ廻し本体と、前記ビッドに着脱可能に固着され前記ねじ廻し本体の外径よりも少なくとも大径の円盤体と、前記ねじ廻し本体に着脱可能に固着される細長のロッド体とを有するものからなることを特徴とするラチェットドライバ。
【考案の詳細な説明】
【技術分野】
【０００１】
本考案は、一方向にのみ回転可能なラチェットドライバに係り、特に構造簡単で早廻し及び強力ねじ締めの可能でビッドを左右いずれの方向からも挿着可能なラチェットドライバに関する。
【背景技術】
【０００２】
ラチェット機構部を有するラチェットドライバとしては極めて数多くのものがあるが、その大部分のものは、ワンウエイクラッチ機構が左右いずれにも変換できる切替機構を有するものが殆どである。「特許文献１」や「特許文献２」に示すラチェットドライバも前記の公知技術として挙げられる。
【特許文献１】特開昭５７−１５６７６号（図１）
【特許文献２】特開平９−１５０３７４号（図１）
【考案の開示】
【考案が解決しようとする課題】
【０００３】
前記の公知技術はいずれもラチェット機構部を有するものであるが、左右切替機構を有するものであり、構造も複雑である。一方、ねじ廻し現場で使用されるねじ廻し具としては取扱性がよく簡便，安価なものが望ましく、そのワンウエイ方向も左右いずれも可能であることが要求され、かつ狭隘な場所でも強力のねじ締めができ、必要に応じて高速ねじ廻しのできるものが要請される。
【０００４】
本考案は、以上の要請に鑑みて考案されたものであり、左右いずれの方向のラチェット回転が可能であり、強力のねじ締めや高速ねじ締めが可能であり、構造簡単で取扱性のよいラチェットドライバを提供することを目的とする。
【課題を解決するための手段】
【０００５】
本考案は、以上の目的を達成するために、請求項１の考案は、ラチェットドライバであって、該ドライバは、ビッドと左右いずれの方向から磁着可能なビッド挿着部を有すると共にこのビッド挿着部を一方向にのみ回転可能なワンウエイクラッチ部を内蔵する円形状のねじ廻し本体と、前記ビッドに着脱可能に固着され前記ねじ廻し本体の外径よりも少なくとも大径の円盤体と、前記ねじ廻し本体に着脱可能に固着される細長のロッド体とを有するものからなることを特徴とする。
【考案の効果】
【０００６】
本考案の請求項１のラチェットドライバによれば、このねじ廻し本体は一方向にのみ回転可能なワンウエイクラッチを有する簡便構造のものであるが、ビッドを左右いずれの方向からも挿着可能なビッド挿着部を有するため、ビッドの左右の入れ替により、左右いずれの方向のワンウエイ作用が可能となる。即ち、複雑な切替機構を使用することなく左右いずれの方向のラチェット動作が可能となる。また、ねじ廻し本体にロッド体を固着することにより強力なねじ締めが簡単にでき、ロッド体は細長のものであり、狭隘な場所での使用が簡単にできる。また、ビッドに円盤体を固着することにより円盤体に親指と人差指を係着して高速のねじ締めが可能になる。なお、ロッド体や円盤体は必要に応じて使用すればよく、すべてを使用する必要がなく、簡便構造で安価に実施することができる。
【考案を実施するための最良の形態】
【０００７】
以下、本考案のラチェットドライバの実施の形態を図面を参照して詳述する。
図１は本考案のラチェットドライバ１の全体構造を示すものである。ラチェットドライバ１は大別してねじ廻し本体２と、ロッド体３及び円盤体４とからなり、ビッド５はねじ廻し本体２に着脱可能に挿着される。
【０００８】
図２に示すように、ねじ廻し本体２は、円筒体６と、この中央に貫通状態で枢支されるビッド挿着部７と、ビッド挿着部７と円筒体６との間に介設されて円筒体６内に収納されるワンウエイクラッチ部８等とからなる。円筒体６の外周はすべり止め用のローレット加工され、その一側面にはワンウエイクラッチ部８を挿脱するための蓋体９が着脱可能に装着される。
ビッド挿着部７は内部に六角形のビッド挿入部１０を有する中空円筒からなり、その中央部には永久磁石１１が嵌着されている。以上の構造によりビッド５はビッド挿着部７に左右いずれの方向からも挿入可能となり、永久磁石１１により挿入位置に固着される。
【０００９】
ビッド５をビッド挿着部７に挿着した後、円筒体６の外周を指で把持して回転することにより、ワンウエイクラッチ部８によるラチェット作用を受けながらビッド部５を回転してねじ廻しをすることができる。
【００１０】
図３は（ａ），（ｂ）に示すように、ロッド体３は、外周をローレット加工された細長の棒体１３とこの一端に形成されるねじ部１４からなり、ねじ部１４はねじ廻し本体２の円筒体６に形成される雌ねじ部１５（図２）に螺着され、ロッド体３をねじ廻し本体５に固着することができる。
【００１１】
円盤体４は図４（ａ），（ｂ）に示すように、ビッド５の外周に挿着される薄厚の円盤からなり、外周には手廻しをやり易くするためのギザギザ部１６が形成される。円盤体４はビッド５の外周が六角状の場合はこれに嵌合し得る六角孔を中央に形成するものからなる。また、図４に示すように、ビッド５に挿着された円盤体４がビッド５から抜け出ないようにビッド５には樹脂製のウルトラセン（止め具）１７が挿着される。
【００１２】
図５は本考案のねじ廻し本体２によるねじ１８の締め動作を示すものである。前記のように、ビッド５をビッド挿着部７の右側に挿着すると、図５（ｂ）に示すようにねじ廻り本体２は左回転方向に自由回転し、逆方向（右方向）の回転を拘束される。これによりねじ１８のねじ締みができる。一方、図５（ｃ）に示すように、ビッド５をビッド挿着部７の左側に挿着すると図５（ｄ）に示すように、ねじ廻し本体２は右回転方向に自由回転し、逆方向（左方向）の回転が拘束される。これにより、ねじ１８の取り外しが可能となる。以上のように、ビッド５を左右いずれかに入れ替えるだけでねじ１８の締め込み及び取り外しが簡単にできることになる。
【００１３】
図６はロッド体３の作用を説明するためのものである。ロッド体３をねじ廻し本体２に螺着することにより、ねじ廻し本体２のみを把持したねじ廻しに比べて大きな回転トルクを与えることができる。即ち、Ｐ×ａの回転トルクがねじ廻し本体２に付加され、強力のねじ廻し動作が可能となる。また、指の入り難い狭隘な場所においても、このロット体３を用いることによりねじの締め付けや取り外しが容易に行われる。
【００１４】
図７は円盤体４の作用を説明するものである。円盤体４は図１及び図４に示すようにビッド５の外周に挿着されてウルトラロン１７により抜け止めされるものであり、使用時には図７に示すように指１２、より詳しくには親指１２ａと人差指１２ｂにより円盤体４の外周のギザギザ部１６を把持し、円盤体４を回転することによりねじ締めやその取り外しをより高速に行うことができる。
【００１５】
以上により、本考案のラチェットドライバ１を説明したが、各構成要素の構造については、以上の内容に限定するものでなく、同一技術的範疇のものが採用されることは勿論である。
【産業上の利用可能性】
【００１６】
本考案は、ねじ廻し用としてビッドを使用した場合について説明したが、ビッドに限定するものではなく、その他のねじ廻し具にも適用されることは勿論であり、その利用範囲は広い。
【図面の簡単な説明】
【００１７】
【図１】本考案のラチェットドライバの全体構造を示す側面図。
【図２】本考案のラチェットドライバのねじ廻し本体の構造を示す軸断面図。
【図３】本考案のラチェットドライバのロッド体の構造を示す平面図（ａ）及び上面図（ｂ）。
【図４】本考案のラチェットドライバの円盤体の側面図（ａ）及び正面図。（ｂ）。
【図５】本考案のねじ廻し本体によるねじ廻し動作を説明するための模式図。
【図６】本考案のロッド体によるねじ廻し動作を説明するための模式図。
【図７】本考案の円盤体によるねじ廻し動作を説明するための模式図。
【符号の説明】
【００１８】
１      ラチェットドライバ
２      ねじ廻し本体
３      ロッド体
４      円盤体
５      ビッド
６      円筒体
７      ビッド挿着部
８      ワンウエイクラッチ
９      蓋体
１０    ビッド挿入部
１１    永久磁石
１２    指
１２ａ  親指
１２ｂ  人差指
１３    棒体
１４    ねじ部
１５    雌ねじ部
１６    ギザギザ部
１７    ウルトラロン（止め具）
１８    ねじ
【図１】
0003113759.tif 000003
【図２】
0003113759.tif 000004
【図３】
0003113759.tif 000005
【図４】
0003113759.tif 000006
【図５】
0003113759.tif 000007
【図６】
0003113759.tif 000008
【図７】
0003113759.tif 000009